(57)【要約】【課題】データを記録している途中で記録中の記憶媒体に空の記憶領域が無くなった場合、別な記憶媒体に継続して記録し、記録が終了した後、データを１つのファイルにまとめる。【解決手段】ＣＰＵは、例えば、メモリカードに録音している途中に空き記憶領域が無くなった場合、音声データを記録していたファイルをクローズし、ハードディスクに記録する（ステップＳＴ１）。録音終了後、音声データがメモリカードとハードディスクに分割して記録されているため（ステップＳＴ２）、ＣＰＵは、ハードディスクに全ての音声データを記録できるだけの空き記憶領域が存在するか否かを調べる（ステップＳＴ３）。ハードディスクに全ての音声データを記録できるだけの空き記憶領域が存在する場合（ステップＳＴ３；Ｙｅｓ）、ＣＰＵは、メモリカードに記録されているファイルをハードディスクに移して（ステップＳＴ４）、２つのファイルを結合する（ステップＳＴ５）。【選択図】図３
2009170037.tif 000002
【特許請求の範囲】
【請求項１】
データが記録可能な少なくとも２つの記録部と、
前記記録部の１つに、１つのファイルにまとめて記録することを要するデータを記録している途中に、当該記録部に継続して記録できなくなった場合に、当該記録部に記録されたファイルをクローズし、他の記録可能な記憶領域を有する記録部を選択して、当該選択された記録部に新たなファイルをオープンし、当該新たなファイルに前記データを継続して記録するデータ記録手段と、
前記データ記録手段により前記データが分割して記録された少なくとも２つのファイルを、前記データの記録された順番に従い１つのファイルに結合するファイル結合手段と
を有することを特徴とする記録装置。
【請求項２】
前記データの記録が終了した時、少なくとも２つの記録部に前記データが分割して記録されたファイルが存在する場合に、当該分割して記録されたデータを全て記録できるだけの記憶領域が存在する記録部に、前記データが分割して記録された全てのファイルを集約するファイル集約手段を有することを特徴とする請求項１に記載の記録装置。
【請求項３】
前記ファイル結合手段によるファイルの結合は、前記データ記録手段により前記データの記録が終了した直後に行うことを特徴とする請求項１または請求項２に記載の記録装置。
【請求項４】
前記データは、符号化された音声データまたは映像データであって、
前記データ記録手段が、少なくとも２つの記録部に分割して記録された前記データを結合するための情報を記録したテーブルを作成し、
前記ファイル結合手段が、前記テーブルに記録された情報に基づいて、分割して記録された前記データを１つのデータに結合し、当該結合された１つのデータを前記記録部の１つに記録することを特徴とする請求項１から請求項３のいずれか１項に記載の記録装置。
【請求項５】
データが記録可能な少なくとも２つの記録部を含む記録装置における記録方法であって、
前記記録部の１つに、１つのファイルにまとめて記録することを要するデータを記録している途中に、当該記録部に継続して記録できなくなった場合に、当該記録部に記録されたファイルをクローズし、他の記録可能な記録領域を有する記録部を選択して、当該選択された記録部に新たなファイルをオープンし、当該新たなファイルに前記データを継続して記録するデータ記録工程と、
前記データ記録工程により前記データが分割して記録された少なくとも２つのファイルを、前記データが記録された順番に従い１つのファイルに結合するファイル結合工程と
を有することを特徴とする記録方法。
【請求項６】
データが記録可能な少なくとも２つの記録部を備えるコンピュータに、
前記記録部の１つに、１つのファイルにまとめて記録することを要するデータを記録している途中に、当該記録部に継続して記録できなくなった場合に、当該記録部に記録されたファイルをクローズし、他の記録可能な記録領域を有する記録部を選択して、当該選択された記録部に新たなファイルをオープンし、当該新たなファイルに前記データを継続して記録するデータ記録手順と、
前記データ記録手順により前記データが分割して記録された少なくとも２つのファイルを、前記データが記録された順番に従い１つのファイルに結合するファイル結合手順と
を実行させるための記録プログラム。
【発明の詳細な説明】
【技術分野】
【０００１】
本発明は、記録装置、記録方法および記録プログラムに関する。特に、音声データや映像データのように１つのファイルにまとめて記録することを要する連続データを記録する記録装置、記録方法および記録プログラムに関する。
【０００２】
ラジオ放送やインターネット経由の放送を録音している場合や口頭で伝えられる内容を録音している場合には、状況によって録音時間が変わるため、録音された音声データ（音楽データを含む。）が最終的にどれくらいのサイズになるか予め予測することは困難である。
【０００３】
また、前もって録音時間が分かっていても、音声をＭＰ３（ＭＰＥＧ−１／２  Ａｕｄｉｏ  Ｌａｙｅｒー３）のような圧縮率の高い符号化方式で符号化する場合、録音される音声データのサイズを計算するには手間がかかる。
【０００４】
このように、録音される音声データのサイズが不明な場合でも録音に失敗することを防ぐために、ＭＤ（ＭｉｎｉＤｉｓｃ）に録音されている曲ごとに消去禁止情報を記録しておき、音楽を録音しているときにＭＤ上に録音されていない部分がなくなった場合には、消去禁止情報に基づいて消去が禁止されていない録音済みの曲の上に上書きして録音する方法が知られている。また、ＭＤ上に録音されていない部分がなくなった場合には、録音日時の古い曲の上に上書きして録音する方法が知られている。（例えば、特許文献１参照）。
【０００５】
【特許文献１】特開平６−２２３４８３号公報
【発明の開示】
【発明が解決しようとする課題】
【０００６】
特許文献１記載の方法を用いると、録音に失敗する可能性は減少する。しかし、ＭＤ上に上書き可能な曲が無くなると、録音に失敗する点に変わりはない。
【０００７】
一方、録音装置の中には、ＭＤ、ＣＤ（Ｃｏｍｐａｃｔ  Ｄｉｓｃ）やＤＶＤ（Ｄｉｇｉｔａｌ  Ｖｅｒｓａｔｉｌｅ  ＤｉｓｃまたはＤｉｇｉｔａｌ  Ｖｉｄｅｏ  Ｄｉｓｃ）、ＳＤメモリカード、ＵＳＢ（Ｕｎｉｖｅｒｓａｌ  Ｓｅｒｉａｌ  Ｂｕｓ）メモリ、ハードディスク等の複数の記憶媒体に録音できるものがある。
【０００８】
しかし、録音中の記憶媒体の記憶領域が使い尽くされたことをチェックし、録音可能な記憶媒体に切り換える操作は煩雑である。また、連続して録音された音声データが複数の記憶媒体上のファイルに分割されていると、管理が困難である。
【０００９】
ハードディスクやＤＶＤのように複数の記憶媒体を持つ録画装置を用いて、映像を録画する場合にも、同様に記憶媒体を切り換える操作は煩雑であり、また、複数の記憶媒体上で複数のファイルに分割されている映像データを管理することは困難である。
【００１０】
以上から、音声データや映像データのように１つのファイルにまとめて記録することを要するデータを複数の記憶媒体に分割して記録し、記録が終了した後、分割して記録されているデータを１つのファイルにまとめることができる記録装置、記録方法および記録プログラムが要望されている。
【課題を解決するための手段】
【００１１】
本発明の記録装置は、データが記録可能な少なくとも２つの記録部と、
前記記録部の１つに、１つのファイルにまとめて記録することを要するデータを記録している途中に、当該記録部に継続して記録できなくなった場合に、当該記録部に記録されたファイルをクローズし、他の記録可能な記憶領域を有する記録部を選択して、当該選択された記録部に新たなファイルをオープンし、当該新たなファイルに前記データを継続して記録するデータ記録手段と、
前記データ記録手段により前記データが分割して記録された少なくとも２つのファイルを、前記データの記録された順番に従い１つのファイルに結合するファイル結合手段と
を有することを特徴とする。
【００１２】
好ましくは、本発明の記録装置は、前記データの記録が終了した時、少なくとも２つの記録部に前記データが分割して記録されたファイルが存在する場合に、当該分割して記録されたデータを全て記録できるだけの記憶領域が存在する記録部に、前記データが分割して記録された全てのファイルを集約するファイル集約手段を有することを特徴とする。
【００１３】
好ましくは、本発明の記録装置は、前記ファイル結合手段によるファイルの結合は、前記データ記録手段により前記データの記録が終了した直後に行うことを特徴とする。
【００１４】
好ましくは、前記データは、符号化された音声データまたは映像データであって、
前記データ記録手段が、少なくとも２つの記録部に分割して記録された前記データを結合するための情報を記録したテーブルを作成し、
前記ファイル結合手段が、前記テーブルに記録された情報に基づいて、分割して記録された前記データを１つのデータに結合し、当該結合された１つのデータを前記記録部の１つに記録することを特徴とする。
【００１５】
また、本発明の記録方法は、データが記録可能な少なくとも２つの記録部を含む記録装置における記録方法であって、
前記記録部の１つに、１つのファイルにまとめて記録することを要するデータを記録している途中に、当該記録部に継続して記録できなくなった場合に、当該記録部に記録されたファイルをクローズし、他の記録可能な記録領域を有する記録部を選択して、当該選択された記録部に新たなファイルをオープンし、当該新たなファイルに前記データを継続して記録するデータ記録工程と、
前記データ記録工程により前記データが分割して記録された少なくとも２つのファイルを、前記データが記録された順番に従い１つのファイルに結合するファイル結合工程と
を有することを特徴とする。
【００１６】
また、本発明の記録プログラムは、データが記録可能な少なくとも２つの記録部を備えるコンピュータに、
前記記録部の１つに、１つのファイルにまとめて記録することを要するデータを記録している途中に、当該記録部に継続して記録できなくなった場合に、当該記録部に記録されたファイルをクローズし、他の記録可能な記録領域を有する記録部を選択して、当該選択された記録部に新たなファイルをオープンし、当該新たなファイルに前記データを継続して記録するデータ記録手順と、
前記データ記録手順により前記データが分割して記録された少なくとも２つのファイルを、前記データが記録された順番に従い１つのファイルに結合するファイル結合手順と
を実行させる。
【発明の効果】
【００１７】
本発明によれば、音声データや映像データのように１つのファイルにまとめて記録することを要するデータを複数の記憶媒体に分割して記録し、記録が終了した後、分割して記録されているデータを１つのファイルにまとめることができる。
【発明を実施するための最良の形態】
【００１８】
以下、本発明の実施の形態に係る録音装置について説明する。本発明の実施の形態に係る録音装置１は、図１に示すように、アンテナ２１１と、チューナ２１２と、マイク２２と、セレクタ２３１と、ＡＤＣ（Ａｎａｌｏｇ−Ｄｉｇｉｔａｌ  Ｃｏｎｖｅｒｔｅｒ）２３２と、ＣＤユニット３１と、ＭＤユニット３２と、ハードディスク３３と、ＵＳＢメモリスロット３４１と、メモリカードスロット３５１と、制御部４と、入力部５１と、表示部５２と、ＤＳＰ（Ｄｉｇｉｔａｌ  Ｓｉｇｎａｌ  Ｐｒｏｃｅｓｓｏｒ）６と、出力部７と、入力バス８１と、出力バス８２とを有している。更に、録音装置１は、図示しないインターネット等のネットワークへの接続機能も有している。
【００１９】
録音装置１は、録音中の記憶媒体の記憶領域を使い尽くし、その記憶媒体に録音できなくなった場合に、別な記憶媒体を選択し、継続して録音する。
録音装置１は、アンテナ２１１で受信するラジオ放送の音声（音楽を含む）やマイク２２から入力する音声のように、録音時間を前もって予測することが困難であり、録音に失敗すると再度録音し直すことが困難である場合に特に好適である。
【００２０】
アンテナ２１１は、ラジオ放送を受信する。チューナ２１２は、ラジオ放送を復調し、アナログの音声信号を出力する。
マイク２２は、人の声等をアナログの音声信号に変換する。
セレクタ２３１は、チューナ２１２から出力される音声信号とマイク２２から出力される音声信号の一方を選択し、ＡＤＣ２３２に供給する。
ＡＤＣ２３２は、アナログの音声信号をデジタルの音声データに変換し、デジタルの音声データを入力バス８１に出力する。入力バス８１上の音声データは、後述するＤＳＰ６によって圧縮されて出力バス８２に出力される。
【００２１】
ＣＤユニット３１に装着されたＣＤと、ＭＤユニット３２に装着されたＭＤと、ハードディスク３３と、ＵＳＢメモリスロット３４１に装着されたＵＳＢメモリ３４２と、メモリカードスロット３５１に装着されたメモリカード３５２は、いずれも音声データの記録と読み出しが可能である。
ＣＤユニット３１とＭＤユニット２２は、それぞれＣＤとＭＤが装着され、ＣＤとＭＤに音声データを記録し、ＣＤとＭＤに記録されている音声データを読み出すために用いられる。
ハードディスク３３は、録音装置１に内蔵されるものや録音装置１に着脱可能なものがある。
ＵＳＢメモリ３４２とメモリカード３５２は、それぞれＵＳＢメモリスロット３４１とメモリカードスロット３５１に装着され、ＵＳＢメモリスロット３４１とメモリカードスロット３５１を介して音声データが記録され、また読み出される。
【００２２】
制御部４は、図示しないＣＰＵ（Ｃｅｎｔｒａｌ  Ｐｒｏｃｅｓｓｉｎｇ  Ｕｎｉｔ）と図示しないメモリを含むプログラマブルなプロセサである。メモリは、例えば、ＲＯＭ（Ｒｅａｄ  Ｏｎｌｙ  Ｍｅｍｏｒｙ）やＲＡＭ（Ｒａｍｄｏｍ  Ａｃｃｅｓｓ  Ｍｅｍｏｒｙ）である。制御部４のＣＰＵは、メモリに記憶されているプログラムによって、図２に示すように、連続データ記録手段４１とファイル集約手段４２とファイル結合手段４３を実現する。
【００２３】
連続データ記録手段４１は、例えば、ラジオ放送の番組の音声データをメモリカード３５２に記録している途中にメモリカード３５２の空き記憶領域が無くなり、メモリカード３５２に継続して記録できなくなった場合に、メモリカード３５２のファイルをクローズする。そして、ハードディスク３３を選択して、ハードディスク３３に新たなファイルをオープンし、ハードディスク３３に音声データを継続して記録する。更に、ハードディスク３３に含まれる全ての記憶領域も使い尽くした場合には、ＣＤユニット３１にＣＤを装着してＣＤに音声データを継続して記録する。
【００２４】
録音するときには、ラジオ放送の番組の音声データが複数のファイルに分割して記録された場合に、録音終了後に、それら複数のファイルを結合するために使う情報が記録されたテーブルを作成する。このテーブルは、例えば、制御部４のメモリやハードディスク３３に記憶する。そして、録音終了後にこのテーブルに記録された情報に基づいて複数のファイルを結合する。このテーブルには、例えば、ファイル名、ファイルが記録された記録部の名称、データサイズ、およびファイルが作成された順番若しくは作成された時間を記録する。このテーブルは、後で管理情報として使用するために、例えば、ハードディスク３３内のデータベースに保存しても良い。
または、ラジオ放送の番組の音声データが分割して記録された複数のファイルに、例えば、同一の名称の後に、ファイルが作成された順番を示す連続番号を付加したファイル名を付与しても良い。これにより、１つのファイルにまとめて記録することを要する音声データであることと、録音された順番を容易に判別できる。
連続データ記録手段４１の行う処理の詳細は後述する。
【００２５】
ファイル集約手段４２は、後述するように、ラジオ放送の番組の録音が終了した時、その番組の音声データがメモリカード３５２とハードディスク３３とＣＤに分割して記録されている場合に、例えば、ハードディスク３３にラジオ放送の番組の音声データを全て記録できるだけの空き記憶領域が存在するか否かを調べる。そして、ハードディスク３３に全て記録できる場合には、メモリカード３５２とＣＤに記録されているファイルをハードディスク３３に移して、ラジオ放送の番組の音声データが記録されている全てのファイルをハードディスク３３に集約する。
【００２６】
ただし、利用者は録音した番組を、例えば、携帯電話機で聞くためにメモリカード３５２に記録したい場合が考えられる。このような場合に対応するために、予め入力部５１にファイル集約手段４２を停止する操作を入力することによって、ファイル集約手段４２の処理の開始を待たせることができる。ファイル集約手段４２の処理が停止した状態で、メモリカード３５２に含まれる不要なファイルを消去する。これにより、メモリカード３５２にラジオ放送の番組の音声データを全て記録できるだけの記憶領域を確保する。その後、入力部５１にファイル集約手段４２を実行する操作を入力し、ファイル集約手段４２を実行させる。
または、入力部５１に、メモリカード３５２に十分な記憶領域を確保した状態で、ハードディスク３３とＣＤに記録されているファイルをメモリカード３５２に移す操作を入力し、音声データが記録されている全てのファイルをメモリカード３５２に集約する。その後、ファイル集約手段４２をスキップし、後述するファイル結合手段４３を実行する操作を入力してファイル結合手段４３を実行させることもできる。
【００２７】
ファイル結合手段４３は、後述するように、ラジオ放送の番組の音声データが分割して記録されている３つのファイルがハードディスク３３に集められると、これら３つのファイルの音声データを記録された順番に従って結合し、結合された音声データを一つのファイルに記録する。すなわち、メモリカード３５２に記録されたファイルの音声データ、ハードディスク３３から移されたファイルの音声データ、ＣＤから移されたファイルの音声データの順番でラジオ放送の番組の音声データを結合し、結合された音声データを一つのファイルに記録する。
【００２８】
ファイル結合手段４３による音声データの結合とファイルへの記録は、データ記録手段４１により音声データの録音が終了した直後に行っても良い。また、ある程度時間が経過した後、例えば、入力部５１にファイル結合手段４３を実行する操作が入力されるのを契機として行っても良い。
【００２９】
入力部５１は、操作キーを有しており、操作キーを押下することによって利用者の操作が入力される。
【００３０】
表示部５２は、ディスプレイを有しており、例えば、メモリカード３５２に記録されているデータの内容や、録音の進行状況を表示する。
【００３１】
ＤＳＰ６は、図示しない乗算器、図示しない加算器および図示しないＲＯＭやＲＡＭのようなメモリを含む。ＤＳＰ６は、デジタル信号処理機能が強化されたプログラマブルなプロセサである。
ＤＳＰ６は、メモリに記憶されたプログラムを実行し、エンコーダとデコーダとして動作する。ＤＳＰ６は、入力バス８１上の音声データを入力し、この音声データをＭＰ３のような圧縮率の高い符号化方式で符号化して出力バス８２に出力する。また、入力バス８１上の符号化された音声データを入力し、復号してＤＡＣ（Ｄｉｇｉｔａｌ−Ａｎａｌｏｇ  Ｃｏｎｖｅｒｔｅｒ）７１に出力する。
【００３２】
出力部７は、ＤＡＣ７１と、アンプ７２と、スピーカ７３を含む。ＤＡＣ７１は、ＤＳＰ６が復号した音声データをデジタル信号からアナログ信号に変換する。アンプ７２は、ＤＡＣ７１が出力するアナログ信号を増幅する。スピーカ７３は、増幅されたアナログ信号を音声として出力する。
【００３３】
入力バス８１は、ＡＤＣ２３２やＣＤユニット３１等から音声データを受け取り、ＤＳＰ６に供給する。
また、出力バス８２は、ＤＳＰ６から音声データを受け取り、ＣＤユニット３１やＭＤユニット３２等に供給する。
なお、本実施の形態では、入力バス８１上の音声データはＤＳＰ６を介して出力バス８２に受け渡すとしているが、入力バス８１と出力バス８２をバスブリッジ回路で結合し、入力バス８１上の音声データを直接出力バス８２に渡すことができるようにしても良い。
【００３４】
なお、ＣＤを装着したＣＤユニット３１と、ＭＤを装着したＭＤユニット３２と、ハードディスク３３、ＵＳＢメモリ３４２を装着したＵＳＢメモリスロット３４１と、メモリカード３５２を装着したメモリカードスロット３５１は本発明の記録部の例である。
【００３５】
以下、図３、図４および図７のフローチャートを参照して、録音装置１の動作について詳細に説明する。
【００３６】
図３は、本発明の実施の形態に係る録音方法の一例を示すフローチャートの図である。図１の録音装置は、図３に示す録音方法を実現する。
【００３７】
図３のステップＳＴ１は、図２の連続データ記録手段４１が実現する処理である。
制御部４のＣＰＵは、図４に詳細を示すように、例えば、ラジオ放送をメモリカード３５２に録音することを指示する操作が入力部５１に入力されると、メモリカード３５２に記録することができる空き記憶領域が存在するか否か調べる（ステップＳＴ１１）。
【００３８】
メモリカード３５２に記録することができる場合（ステップＳＴ１１；Ｙｅｓ）、制御部４のＣＰＵは、メモリカード３５２を選択し、音声データを記録するためのファイルをオープンする（ステップＳＴ１２）。
一方、メモリカード３５２に空き記憶領域が存在せず、また他の記録部にも記録することができない場合（ステップＳＴ１１；Ｎｏ）、制御部４のＣＰＵは、録音を行わず、処理を終了する。メモリカード３５２に記録できなくとも、例えば、ハードディスク３３に記録できる場合には、制御部４のＣＰＵは、ハードディスク３３を選択し、音声データを記録するためのファイルをオープンする（ステップＳＴ１２）。その際、ハードディスク３３に記録していることを表示部５２に表示する。
【００３９】
受信したラジオ放送の音声はＡＤＣ２３２でデジタルの音声データに変換されて、音声データが入力バス８１に出力される。ＤＳＰ６は、入力バス８１上の音声データを取り込み、ＭＰ３のような圧縮率の高い符号化方式で符号化する。ＤＳＰ６は、符号化された音声データを出力バス８２に出力する。
【００４０】
制御部４のＣＰＵは、出力バス８２上の音声データを、メモリカードスロット３５１を介してメモリカード３５２に記録する（ステップＳＴ１３）。
制御部４のＣＰＵは、ラジオ放送の録音の終了を指示する操作が入力部５１に入力されたか否かを監視しており、ラジオ放送の録音の終了を指示する操作が入力される（ステップＳＴ１４；Ｙｅｓ）と、音声データを記録していたファイルをクローズし（ステップＳＴ１７）、ステップＳＴ１を終了する。
【００４１】
一方、録音を続ける場合（ステップＳＴ１４；Ｎｏ）、制御部４のＣＰＵは、メモリカード３５２に空き記憶領域が存在し、継続して記録することができるか否かを判定する（ステップＳＴ１５）。継続して記録することができる場合（ステップＳＴ１５；Ｙｅｓ）には、ステップＳＴ１３に戻る。
メモリカード３５２に空き記憶領域が無くなった場合（ステップＳＴ１５；Ｎｏ）、制御部４のＣＰＵは、音声データを記録していたファイルをクローズし（ステップＳＴ１６）、ステップＳＴ１１に戻る。
【００４２】
制御部４のＣＰＵは、メモリカード３５２以外の記憶部に空き記憶領域が存在するか否か調べる（ステップＳＴ１１）。例えば、ハードディスク３３に記録できる場合（ステップＳＴ１１；Ｙｅｓ）には、制御部４のＣＰＵは、ハードディスク３３を選択し、音声データを記録するためのファイルをオープンし（ステップＳＴ１２）、録音を継続する。
録音が終了する（ステップＳＴ１４；Ｙｅｓ）と、制御部４のＣＰＵは、音声データを記録していたハードディスク３３上のファイルをクローズし（ステップＳＴ１７）、ステップＳＴ１を終了する。
【００４３】
制御部４のＣＰＵは、ステップＳＴ１で音声を符号化し、音声データをハードディスク３３等の記録部に記録するとき、分割して記録された複数のファイルを結合する際に使う情報が記録されたテーブルを作成し、例えば、制御部４のメモリやハードディスク３３に記憶する。
【００４４】
図３のステップＳＴ２〜ステップＳＴ４は、図２のファイル集約手段４２が実現する処理である。
制御部４のＣＰＵは、録音された音声データの含まれるファイルが複数の記憶部に存在するか否か調べる（ステップＳＴ２）。音声データの含まれるファイルがメモリカード３５２にのみ存在する場合または音声データの含まれるファイルが存在しない場合（ステップＳＴ２；Ｎｏ）には、制御部４のＣＰＵは、録音処理を終了する。
【００４５】
一方、音声データの含まれるファイルがメモリカード３５２とハードディスク３３に分割して記録されている場合（ステップＳＴ２；Ｙｅｓ）、制御部４のＣＰＵは、ハードディスク３３にラジオ放送の番組の音声データを全て記録できるだけの空き記憶領域が存在するか否かを調べる（ステップＳＴ３）。
ハードディスク３３にラジオ放送の番組の音声データを全て記録できるだけの空き記憶領域が存在する場合（ステップＳＴ３；Ｙｅｓ）、制御部４のＣＰＵは、メモリカード３５２に記録されているファイルをハードディスク３３に移して、ラジオ放送の番組の音声データが記録された全てのファイルをハードディスク３３に集約する（ステップＳＴ４）。
【００４６】
ハードディスク３３に音声データを全て記録できるだけの空き記憶領域が存在しない場合、制御部４のＣＰＵは、他の記憶部にラジオ放送の番組の音声データを全て記録できるだけの空き記憶領域が存在するか否かを調べる（ステップＳＴ３）。例えば、ＣＤユニット３１に装着されたＣＤにラジオ放送の番組の音声データを全て記録できるだけの空き記憶領域が存在する場合（ステップＳＴ３；Ｙｅｓ）、制御部４のＣＰＵは、メモリカード３５２とハードディスク３３に記録されているファイルをＣＤユニット３１に装着されたＣＤに移して、ラジオ放送の番組の音声データを含む全てのファイルをＣＤユニット３１に装着されたＣＤに集約する（ステップＳＴ４）。
なお、ステップＳＴ１の処理でメモリカード３５２に空き記憶領域が存在しないために、音声データがハードディスク３３に記録されたのであるから、制御部４のＣＰＵは、メモリカード３５２の空き記憶領域を調べなくてもよい。
【００４７】
一方、音声データを全て記録できるだけの空き記憶領域が存在する記憶部が無い場合（ステップＳＴ３；Ｎｏ）、制御部４のＣＰＵは、録音処理を終了する。
【００４８】
利用者は録音した番組を、例えば、携帯電話機で聞くためにメモリカード３５２に記録したい場合も考えられる。このような場合に対応するために、入力部５１にステップＳＴ２〜ステップＳＴ４をスキップさせることを指示する操作が入力された場合、制御部４のＣＰＵは、ステップＳＴ２〜ステップＳＴ４をスキップする。制御部４のＣＰＵは、入力部５１にファイルを結合することを指示する操作が入力されるのを待って、メモリカード３５２に集められたファイルを結合する（ステップＳＴ５）。
【００４９】
図３のステップＳＴ５は、図２のファイル結合手段４３が実現する処理である。
制御部４のＣＰＵは、ラジオ放送の番組の音声データを含む全てのファイルがハードディスク３３に集約されると、これらのファイルを音声データの記録された順番に従って結合して音声データを一つのファイルに記録する（ステップＳＴ５）。
【００５０】
ただし、ファイルを結合するだけでは、結合されたファイルの中に複数の音声データが含まれる。音声再生装置または音声再生ソフトの作りによっては、複数の音声データが全て再生されるとは限らない。
【００５１】
音声再生装置または音声再生ソフトがこれら複数の音声データを認識して全ての音声データを再生する場合には、ファイルを結合するだけでラジオ放送の番組は最初から最後まで再生される。
例えば、ＭＤは、ＵＴＯＣ（Ｕｓｅｒ  Ｔａｂｌｅ  ｏｆ  Ｃｏｎｔｅｎｔｓ）により録音された曲を最大２５５曲まで管理する。
ＵＴＯＣには、曲に対応して、曲名、開始アドレス、終了アドレスおよびリンクポインタが記録される。ある曲のリンクポインタが０であることは、その曲が終了アドレスで終了することを意味する。リンクポインタが０以外であることは、リンクポインタの数字で示される場所にその曲の続きの音楽データの開始アドレスや終了アドレスを示すデータが存在することを意味する。
ＭＤ用の音声再生装置等は、ＵＴＯＣのリンクポインタを修正するだけで、結合されたファイルに含まれる複数の音楽データを全て再生する。
【００５２】
しかし、例えば、ＦＡＴ（Ｆｉｌｅ  Ａｌｌｏｃａｔｉｏｎ  Ｔａｂｌｅ）ファイルシステムのような汎用のファイル管理方法を用いる場合、音声再生装置等が結合されたファイルに含まれる複数の音声データを正しく認識するとは限らない。
符号化された音声データには、一般にその音声データの内容を示すヘッダが付加される。符号化方式によって異なるが、ヘッダには、音声データのサイズ等が含まれる場合がある。例えば、ＷＡＶフォーマットのヘッダには音声データのサイズが含まれる。複数のＷＡＶフォーマットの音声データを１つのファイルにまとめた場合、個々の音声データのヘッダには、個々の音声データのサイズしか書かれていない。
また、符号化方式によっては、音声データの最後に、終了を示すコードが付加される場合がある。
音声再生装置等によっては、音声データのサイズや終了を示すコードを認識してファイルに含まれる最初の音声データのみを再生する可能性がある。
【００５３】
そこで、本実施形態では、データ記録手段４１は、符号化された複数の音声データが後で結合されることを考慮して、符号化する。
制御部４のＣＰＵは、音声を符号化するとき、図５に示すように、分割して記録された複数のファイルを結合する際に使う情報が記録されたテーブルを作成する。このテーブルには、例えば、ファイル名、ファイルが記録された記憶部の名称、データサイズ、およびファイルが作成された順番を記録する。
【００５４】
図５は、ＡＡＡという名前の１つの連続した音声データが、メモリカード３５２とハードディスク３３とＣＤに分割して記録されており、それらのデータサイズはそれぞれｘｘｘｘバイト、ｙｙｙｙバイト、ｚｚｚｚバイトであることを示す。制御部４のＣＰＵは、音声データを結合するとき、メモリカード３５２に記録された音声データ、ハードディスク３３に記録された音声データ、ＣＤに記録された音声データの順番で結合する。
また、図５は、ＢＢＢという名前の１つの連続した音声データが、ＭＤとＵＳＢメモリ３４２に分割して記録されており、それらのデータサイズはそれぞれｍｍｍｍバイト、ｎｎｎｎバイトであることを示す。制御部４のＣＰＵは、音声データを結合するとき、ＭＤに記録された音声データ、ＵＳＢメモリ３４２に記録された音声データの順番で結合する。
【００５５】
ＡＡＡという名前の１つの連続した音声データは、図６に示すように、メモリカード３５２とハードディスク３３とＣＤに分割して記録されている。メモリカード３５２にはスタートコードと音声データ１が記録され、ハードディスク３３には音声データ２が記録され、ＣＤには音声データ３とエンドコード（音声データの終了を示すコード）が記録される。
音声データ１と音声データ２と音声データ３は１つの連続したデータである。このため、音声データ１と音声データ２の最後にエンドコードのような終了を示すコードは付加されていない。また、音声データ２と音声データ３の頭にスタートコードのような音声データの開始であることを示す情報は付加されていない。
【００５６】
図６に示すＡＡＡという名前の音声データを１つのファイルに結合する場合、制御部４のＣＰＵは、まず、音声データ１と音声データ２の間、およびに音声データ２と音声データ３の間に無効データが入らないように、音声データ１と音声データ２と音声データ３を結合し、（ｘｘｘｘ＋ｙｙｙｙ＋ｚｚｚｚ）バイトのサイズの音声データを作成する。その後、制御部４のＣＰＵは、ＡＡＡというファイル名で、結合された音声データを（ｘｘｘｘ＋ｙｙｙｙ＋ｚｚｚｚ）バイトの空き記憶領域の存在する記録媒体に記録する。
【００５７】
なお、図６に示す記録形式は一例であり、例えば録音するときスタートコードとエンドコードのような音声データの開始と終了を示す情報は付加せずに、複数の音声データを結合するときに音声データの開始と終了を示す情報を付加しても良い。
また、図６に示すテーブルは、制御部４のメモリに記憶しても良いし、後で管理情報として使用するために、例えば、ハードディスク３３内のデータベースに保存しても良い。
【００５８】
このように、本実施形態では、音声データが分割して記録された複数のファイルを１つのファイルに結合する場合、図７に示すように、最初に、テーブルに記録された情報に基づいて音声データを結合する（ステップＳＴ５１）。次に、音声データの存在する場所を管理するファイル管理情報を作成して、結合された音声データを１つのファイルに記録する（ステップＳＴ５２）。
【００５９】
上記では、ラジオ放送を録音する例について説明したが、ネットワークを介した音声放送を受信する場合やマイクから音声が入力される場合でも同様に本発明を適用することができる。
【００６０】
これまで、音声データを対象として説明したが、映像データについても本発明を適用することができる。
本発明によれば、例えば、ハードディスクとＤＶＤユニットが内蔵された映像レコーダにおいて、ハードディスクに録画しているときに、ハードディスクの空き記憶領域が無くなった場合に、ＤＶＤに継続して録画することができる。
【００６１】
なお、映像データが分割して記録された複数のファイルを１つのファイルに結合する場合も、音声データと同様に、最初に、テーブルに記録された情報に基づいて映像データを結合する。次に、映像データの存在する場所を管理するファイル管理情報を作成して、結合された映像データを１つのファイルに記録する。
【００６２】
また、音声データや映像データに限らず、テキストデータ等１つのファイルにまとめて記録することを要する任意のデータを記録する場合に本発明を適用することができる。
【００６３】
また、ディスクユニットに装着するディスク媒体は、ＣＤやＤＶＤに限らず、例えば、ＨＤ−ＤＶＤ（Ｈｉｇｈ  Ｄｅｆｉｎｉｔｉｏｎ  ＤＶＤ）やブルーレイディスク（Ｂｌｕ−ｒａｙ  Ｄｉｓｃ）であっても良い。
【００６４】
以上のように、本発明によれば、音声データや映像データのように１つのファイルにまとめて記録することを要するデータを複数の記憶媒体に分割して記録し、記録が終了した後、分割して記録されているデータを１つのファイルにまとめることができる。
【００６５】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれると理解されるべきである。
【図面の簡単な説明】
【００６６】
【図１】本発明の実施の形態に係る録音装置の一例を示すブロック図である。
【図２】制御部のＣＰＵの実現する機能を示す図である。
【図３】本発明の実施の形態に係る録音方法の一例を示すフローチャートの図である。
【図４】図３のステップＳＴ１の処理の一例を示すフローチャートの図である。
【図５】分割して記録された複数のファイルを結合する際に使う情報が記録されたテーブルの一例を示す図である。
【図６】３つの記録部に分割して記録された音声データの一例を示す図である。
【図７】図３のステップＳＴ５の処理の一例を示すフローチャートの図である。
【符号の説明】
【００６７】
３１…ＣＤユニット
３２…ＭＤユニット
３３…ハードディスク
３４１…ＵＳＢメモリスロット
３４２…ＵＳＢメモリ
３５１…メモリカードスロット
３５２…メモリカード
４１…連続データ記録手段
４２…ファイル集約手段
４３…ファイル結合手段
【図１】
2009170037.tif 000003
【図２】
2009170037.tif 000004
【図３】
2009170037.tif 000005
【図４】
2009170037.tif 000006
【図５】
2009170037.tif 000007
【図６】
2009170037.tif 000008
【図７】
2009170037.tif 000009